【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
電力供給システムにおいて使用される電力供給デバイスであって、動作モードで前記電力供給デバイスによって供給された電力量を示す前記電力供給デバイスのクラスと、前記電力供給システムの電気デバイスが動作モードで動作されるであろう電力量を示す前記電気デバイスのクラスとが決定される２段階分類モードで、前記電力供給デバイスは動作されるように適合され、前記分類モードにおいて、
第１の段階で、前記電力供給デバイスが、既定の電圧範囲内の１つ又はいくつかの電圧パルスを前記電気デバイスに供給し、前記電気デバイスによって引き込まれた１つ又はいくつかの分類電流パルスを測定し、引き込まれて測定された前記分類電流パルスに基づいて、前記電気デバイスのクラスを決定し、
第２の段階で、前記電力供給デバイスが、前記電力供給デバイスのクラスを示すための、前記既定の電圧範囲内の１つ又はいくつかの電圧パルスを前記電気デバイスに供給するように、
前記電力供給デバイスは適合され、
前記第１の段階での前記電気デバイスのクラスの決定と、前記第２の段階での前記電力供給デバイスのクラスの決定とが、切り離される、電力供給デバイス。
【請求項２】
請求項１に記載の電力供給デバイスと電気デバイスとを備える電力供給システムであって、動作モードで前記電力供給デバイスによって供給された電力量を示す前記電力供給デバイスのクラスと、前記電気デバイスが動作モードで動作されるであろう電力量を示す前記電気デバイスのクラスとが決定される２段階分類モードで、前記電力供給デバイス及び前記電気デバイスは動作されるように適合され、前記分類モードにおいて、
第１の段階で、前記電力供給デバイスは、既定の電圧範囲内の１つ又はいくつかの電圧パルスを前記電気デバイスに供給し、前記電気デバイスは、前記電気デバイスのクラスを示すための１つ又はいくつかの分類電流パルスを引き込み、前記電力供給デバイスは、引き込まれた前記１つ又はいくつかの分類電流パルスを測定し、引き込まれて測定された前記分類電流パルスに基づいて、前記電気デバイスのクラスを決定し、
第２の段階で、前記電力供給デバイスは、前記電力供給デバイスのクラスを示すための前記既定の電圧範囲内の１つ又はいくつかの電圧パルスを前記電気デバイスに供給し、前記電気デバイスは、前記１つ又はいくつかの電圧パルスを測定し、測定された前記１つ又はいくつかの電圧パルスに応じて、前記電力供給デバイスのクラスを決定するように、
前記電力供給デバイス及び前記電気デバイスは適合され、
前記第１の段階での前記電気デバイスのクラスの決定と、前記第２の段階での前記電力供給デバイスのクラスの決定とが、切り離される、電力供給システム。
【請求項３】
前記電気デバイスは、前記第１の段階で、前記電力供給デバイスによって供給される前記１つ又はいくつかの電圧パルスを測定し、測定された前記１つ又はいくつかの電圧パルスに応じて、前記電力供給デバイスの前記クラスを決定し、前記電力供給デバイスは、前記第１の段階後で前記第２の段階前に、少なくとも既定の時間にわたって、既定の閾値電圧より大きい電圧を供給せず、前記電気デバイスが、少なくとも前記既定の時間にわたって、前記既定の閾値電圧より大きい電圧を測定しなかった場合、前記電気デバイスは、前記電力供給デバイスのクラスの決定をリセットする、請求項２に記載の電力供給システム。
【請求項４】
前記電力供給デバイスは、前記電気デバイスのクラスを決定するのに十分な分類電流パルスが測定されるまで、前記既定の電圧範囲内の前記１つ又はいくつかの電圧パルスを供給する、請求項２に記載の電力供給システム。
【請求項５】
前記電力供給デバイスは、前記第１の段階で、前記電力供給デバイスが前記動作モードで供給する電力に対応しないクラスを示す前記既定の電圧範囲内の前記１つ又はいくつかの電圧パルスを供給できる、請求項２に記載の電力供給システム。
【請求項６】
前記電力供給デバイスは、異なるクラスで動作されるために、異なる電力量を供給することが可能であり、前記電力供給デバイスは、前記分類モードにおいて前記第２の段階で、前記第１の段階で決定された前記電気デバイスのクラスに対応するクラスを示すように、前記１つ又はいくつかの電圧パルスを供給する、請求項２に記載の電力供給システム。
【請求項７】
前記電力供給デバイスは、異なるクラスで動作されるために、異なる電力量を供給することが可能であり、前記電力供給デバイスは、前記分類モードにおいて前記第２の段階で、前記第１の段階で決定された前記電気デバイスのクラスが、前記電力供給デバイスによって最大で供給可能な電力量より大きい電力量を示す場合、前記電力供給デバイスによって供給可能な最大の電力量に対応するクラスを示すように、前記１つ又はいくつかの電圧パルスを供給する、請求項２に記載の電力供給システム。
【請求項８】
前記電気デバイスは、前記電力供給デバイスの決定されたクラスが、前記電気デバイスのクラスによって示される電力量より小さい電力量を示す場合、前記動作モードにおいて、前記電力供給デバイスによって供給されるより小さい電力量で動作される、請求項２に記載の電力供給システム。
【請求項９】
前記電気デバイス及び前記電力供給デバイスはそれぞれ、１群の可能なタイプのうちの１つのタイプに割り当てられ、電力供給デバイスのタイプは、前記電力供給デバイスによって前記動作モードで供給可能な電力量を示し、電気デバイスのタイプは、前記電気デバイスが前記動作モードで動作可能な電力量を示し、前記電力供給デバイス及び前記電気デバイスは、前記分類モードにおいて、
第１の段階で、前記電気デバイスは、前記電気デバイスの前記クラス及び前記タイプを示すための１つ又はいくつかの分類電流パルスを引き込み、前記電力供給デバイスが、引き込んで測定された前記１つ又はいくつかの分類電流パルスに基づいて、前記電気デバイスのクラス及びタイプを決定し、
第２の段階で、前記電力供給デバイスは、前記電力供給デバイスのクラス及びタイプを示すための前記既定の電圧範囲内の１つ又はいくつかの電圧パルスを前記電気デバイスに供給し、前記電気デバイスが、測定された前記１つ又はいくつかの電圧パルスに応じて、前記電力供給デバイスのクラス及びタイプを決定する、
請求項２に記載の電力供給システム。
【請求項１０】
前記電気デバイスは、１群の可能なタイプのうちの１つのタイプに割り当てられ、電気デバイスのタイプは、前記電気デバイスが前記動作モードで動作可能な電力量を示し、前記電気デバイスの前記１群の可能なタイプは、電気デバイスが前記動作モードで動作可能な１つ又はいくつかの第１の電力量を示す第１のタイプと、電気デバイスが前記動作モードで動作可能な１つ又はいくつかの第２の電力量を示す第２のタイプとを含み、前記１つ又はいくつかの第１の電力量のうちの少なくとも１つは、前記１つ又はいくつかの前記第２の電力量のうちの少なくとも１つに等しく、前記分類モードにおいて、第１の段階で、前記電気デバイスが、前記電気デバイスのクラス及びタイプを示すための１つ又はいくつかの分類電流パルスを引き込み、前記電気デバイスが前記第１のタイプ又は前記第２のタイプであって、前記動作モードにおいて、前記第１のタイプの電気デバイスが前記動作モードで動作可能でありかつ前記第２のタイプの電気デバイスが前記動作モードで動作可能である電力量で動作する場合でも、前記電力供給デバイスが、引き込んで測定された前記１つ又はいくつかの分類電流パルスに基づいて、前記電気デバイスのクラス及びタイプを決定するように、前記電力供給デバイス及び前記電気デバイスは適合される、請求項２に記載の電力供給システム。
【請求項１１】
請求項２に記載の電力供給システムで使用される電気デバイスであって、前記電気デバイスは、動作モードで前記電力供給デバイスによって供給された電力量を示す前記電力供給システムの電力供給デバイスのクラスと、前記電気デバイスが動作モードで動作されるであろう電力量を示す前記電気デバイスのクラスとが決定される２段階分類モードで、前記電気デバイスは動作されるように適合され、前記分類モードにおいて、
第１の段階で、前記電力供給デバイスが、既定の電圧範囲内の１つ又はいくつかの電圧パルスを前記電気デバイスに供給する間に、前記電気デバイスが、前記電気デバイスのクラスを示すための１つ又はいくつかの分類電流パルスを引き込み、
第２の段階で、前記電気デバイスが、前記電力供給デバイスによって供給される１つ又はいくつかの電圧パルスを測定し、測定された前記１つ又はいくつかの電圧パルスに応じて、前記電力供給デバイスのクラスを決定するように、前記電気デバイスは適合され、
前記第１の段階での前記電気デバイスのクラスの決定と、前記第２の段階での前記電力供給デバイスのクラスの決定とが、切り離される、電気デバイス。
【請求項１２】
請求項２に記載の電力供給システムを制御するための制御方法であって、前記制御方法は、２段階分類モードにおいて、
第１の段階で、電力供給デバイスが、既定の電圧範囲内の１つ又はいくつかの電圧パルスを電気デバイスに供給し、前記電気デバイスが、前記電気デバイスの前記クラスを示すための１つ又はいくつかの分類電流パルスを引き込み、前記電力供給デバイスが、引き込まれた前記１つ又はいくつかの分類電流パルスを測定し、引き込まれて測定された前記分類電流パルスに基づいて、前記電気デバイスのクラスを決定し、
第２の段階で、前記電力供給デバイスが、前記電力供給デバイスのクラスを示すための前記既定の電圧範囲内の１つ又はいくつかの電圧パルスを前記電気デバイスに供給し、前記電気デバイスが、前記１つ又はいくつかの電圧パルスを測定し、測定された前記１つ又はいくつかの電圧パルスに応じて、前記電力供給デバイスのクラスを決定し、
前記第１の段階での前記電気デバイスのクラスの決定と、前記第２の段階での前記電力供給デバイスのクラスの決定とが、切り離される、
制御方法。
【請求項１３】
請求項２に記載の電力供給システムを制御するためのコンピュータプログラムであって、前記コンピュータプログラムが前記電力供給システム上で実行されるとき、前記コンピュータプログラムは、前記電力供給システムに請求項１２に記載の制御方法を実施させるためのプログラムコード手段を備える、コンピュータプログラム。